(57)【要約】【課題】位置情報を取得する機能が悪意の取得者によって停止されるのを防止することができる携帯端末を提供する。【解決手段】制御部８は、電源オンの状態で電源ボタン６が操作されると、電源オンを維持しつつ、視覚、聴覚、および触覚上は電源オフと同じ状態とした擬似オフへ動作状態を切り替える。制御部８は、擬似オフの状態でも、通信網を介して位置情報が要求されると、位置情報測定部９に位置情報を測定するよう指示し、位置情報測定部９で測定された前記位置情報を要求元に通知する。【選択図】図１
2008288776.tif 000002
【特許請求の範囲】
【請求項１】
通信網経由の要求に応じて自身の位置を示す位置情報を測定し、要求元に通知する機能を備えた携帯端末であって、
前記位置情報を測定する位置情報測定部と、
電源オンの状態で電源ボタンが操作されると、電源オンを維持しつつ、視覚、聴覚、および触覚上は電源オフと同じ状態とした擬似オフへ動作状態を切り替え、前記擬似オフの状態でも、前記通信網を介して位置情報が要求されると、前記位置情報測定部に位置情報を測定するよう指示し、前記位置情報測定部で測定された前記位置情報を要求元に通知する制御部と、を有する携帯端末。
【請求項２】
打鍵の入力を監視しており、入力の打鍵手順が、予め定められた電源オフ用打鍵手順と一致したときに実際に電源をオフにすることを決定する電源オフ判定部を更に有しており、
前記制御部は、前記電源オフ判定部が電源をオフにすることを決定すると、電源を実際にオフにする、請求項１記載の携帯端末。
【請求項３】
前記電源オフ用打鍵手順はユーザが任意に設定できる、請求項２に記載の携帯端末。
【請求項４】
通信網経由の要求に応じて自身の位置を示す位置情報を測定し、前記位置情報を要求元に通知する機能を備えた携帯端末の動作を制御するための携帯端末動作制御方法であって、
前記携帯端末が電源オンの状態で電源ボタンが操作されると、電源オンを維持しつつ、視覚、聴覚、および触覚上は電源オフと同じ状態とした擬似オフへ動作状態を切り替え、
前記通信網を介して位置情報が要求されると、前記擬似オフの状態でも、要求に応じて前記位置情報を測定し、
測定された前記位置情報を要求元に通知する、携帯端末動作制御方法。
【請求項５】
打鍵の入力を監視しており、
入力の打鍵手順が、予め定められた電源オフ用打鍵手順と一致したときに実際に電源をオフにする、請求項４に記載の携帯端末動作制御方法。
【請求項６】
前記電源オフ用打鍵手順はユーザが任意に設定できる、請求項５に記載の携帯端末動作制御方法。
【発明の詳細な説明】
【技術分野】
【０００１】
本発明は、位置を測定する機能を備えた携帯端末に関する。
【背景技術】
【０００２】
ＧＰＳ（Ｇｌｏｂａｌ  Ｐｏｓｉｔｉｏｎｉｎｇ  Ｓｙｓｔｅｍ）による位置測定機能（以下、「ＧＰＳ機能」という）が搭載された携帯電話機の携帯端末では、複数の衛星からの電波の受信により、携帯端末の位置情報が高精度に測定される。位置情報とは、携帯端末の位置を示す情報であり、例えば携帯端末の緯度および経度の情報である。
【０００３】
ＧＰＳ機能により測定される携帯端末の位置情報は外部のパーソナルコンピュータ（以下「ＰＣ」という）から取得可能であり、携帯端末が盗まれたり携帯端末を紛失したりすると、その携帯端末のユーザは外部のＰＣにより携帯端末の位置情報を取得できる。
【０００４】
しかし、このような携帯端末は、電源がオンであれば、全ての機能を開始しており、位置情報を測定することができる。一方、携帯端末の電源がオフであれば、携帯端末は全ての機能を停止している。この場合、携帯端末は、衛星からの電波を受信できず、位置情報を測定することができない。
【０００５】
そのため、携帯端末を悪意で取得した取得者は、位置情報が測定されることを防止するため、電源ボタンを長押しし、携帯端末の電源をオフにしてしまうことがあった。この場合、携帯端末のユーザは外部のＰＣにより携帯端末の位置情報を取得することができなかった。
【０００６】
これに対して、悪意の取得者が携帯端末の電源をオフにするのを防止することのできる技術が開示されている（特許文献１参照）。
【０００７】
特許文献１に記載された携帯端末には、電源のオフを実行する設定モードと、電源のオフを実行しない設定モードがある。電源のオフを実行する設定モードに設定されているとき、電源をオフにするための操作がなされると、携帯端末は実際に電源をオフにする。一方、電源のオフを実行しない設定モードに設定されているときには、電源をオフにするための操作がなされても、携帯端末は電源をオフにしない。なお、電源のオフを実行する設定モードと実行しない設定モードとの切り替えは携帯端末の所定のボタン操作で切り替えることができる。
【０００８】
これにより、悪意の取得者が携帯端末の電源をオフにしてしまうことを防止できるので、ユーザは外部のＰＣから携帯端末の位置情報を取得できる。
【特許文献１】特開平７−３２１６７６号公報
【発明の開示】
【発明が解決しようとする課題】
【０００９】
一般に、携帯端末は、電源がオフになると、表示画面が消灯する。これにより、ユーザは携帯端末の電源がオフになったことを確認する。
【００１０】
それ故、特許文献１に記載された携帯端末は、電源のオフを実行しない設定モードでは悪意の取得者が電源ボタンを長押ししても電源がオフにはならないが、電源がオフになっていないことが悪意の取得者に分かってしまう。その場合、悪意の取得者は携帯端末の電池を抜くなど他の方法により携帯端末の電源を強制的にオフにしてしまうので、電源のオフを実行しない設定モードに設定しておいても結局は位置情報を取得できなくなってしまうという問題点があった。
【００１１】
本発明の目的は、位置情報を取得する機能が悪意の取得者によって停止されるのを防止することができる携帯端末を提供することにある。
【課題を解決するための手段】
【００１２】
上記目的を達成するために、本発明の携帯端末は、
通信網経由の要求に応じて自身の位置を示す位置情報を測定し、要求元に通知する機能を備えた携帯端末であって、
前記位置情報を測定する位置情報測定部と、
電源オンの状態で電源ボタンが操作されると、電源オンを維持しつつ、視覚、聴覚、および触覚上は電源オフと同じ状態とした擬似オフへ動作状態を切り替え、前記擬似オフの状態でも、前記通信網を介して位置情報が要求されると、前記位置情報測定部に位置情報を測定するよう指示し、前記位置情報測定部で測定された前記位置情報を要求元に通知する制御部と、を有している。
【発明の効果】
【００１３】
本発明によれば、位置情報を取得する機能が悪意の取得者によって停止されるのを防止することができる。
【発明を実施するための最良の形態】
【００１４】
本発明の実施例について図面を参照して詳細に説明する。図１は本実施例における携帯電話機１の構成を示すブロック図である。本携帯電話機１は、受信部２、発信部３、表示部４、記憶部５、ボタン部６、電源オフ判定部７、制御部８、および位置情報測定部９、を有している。
【００１５】
携帯電話機１は、一般的な電源をオフにする操作である電源ボタンの長押しがされたとき擬似オフの状態となる。擬似オフとは、実際には電源をオフにせず、視覚、聴覚、および触覚上は電源がオフになったのと同じ状態を装うことである。擬似オフの状態では、例えばボタン操作がなされても応答せず、また着信を受けても画面の点灯、音、振動により着信を受けている旨をユーザに知らせない。
【００１６】
一方、擬似オフの状態でも位置情報の測定は可能であり、携帯電話機１は、外部のＰＣ（不図示）から位置情報を要求されると、位置情報を測定して要求元のＰＣへ位置情報を通知する。
【００１７】
受信部２は他の携帯電話機（不図示）からの音声通話やデータ通信に関する着信情報を、通信網を介して受信する。
【００１８】
位置情報測定部９は、制御部８からの指示により、位置情報を測定するための電波を衛星（不図示）から受信して位置情報を測定する。そして、位置情報測定部９は測定した位置情報を制御部８に送信する。
【００１９】
発信部３は、制御部８からの指示により、音声通話やデータ通信を外部へ通知するための通知情報を、通信網を介してＰＣ（不図示）または他の携帯電話機（不図示）に通知する。また、発信部３は、位置情報測定部９で測定された位置情報を、通知情報として要求元のＰＣへ送り、ユーザに携帯電話機１の位置を知らせる。
【００２０】
記憶部５には、電源をオフするための電源オフ用打鍵手順を設定するためのアプリケーションが予め記憶されており、またアプリケーションを実行した制御部８により電源オフ用打鍵手順が記録される。電源オフ用打鍵手順とは、電源をオンから実際のオフに切り替えるための手順である。
【００２１】
例えば、ユーザが電源ボタンと通話ボタンとを同時に長押ししたり、所定の数字ボタンを押した後に電源ボタンを押したり、また所定の数字ボタンを複数回長押したりする手順である。これによれば、この電源オフ用打鍵手順以外のボタン操作がなされても、携帯電話機１の電源はオフにならないので、悪意の取得者のような電源オフ用打鍵手順を知らない者によって携帯電話機１の電源がオフにされることを防止できる。
【００２２】
また、記憶部５には、判定フラグが記憶されており、制御部８からの指示により判定フラグの切り替えが行なわれる。判定フラグとは、携帯電話機１が擬似オフであるか否かを判定するためのフラグである。判定フラグが「０」であれば、携帯電話機１は擬似オフの状態である。その場合、オフのように振る舞う制御が制御部８により行なわれる。判定フラグが「１」であれば、携帯電話機１はオンの状態である。その場合、通常の制御が制御部８により行なわれる。
【００２３】
表示部４は、制御部８からの指示により文字や画像を表示する。例えば、着信時に発信元の電話番号を表示したり、発信時に着信先の電話番号を表示したりする。
【００２４】
ボタン部６は、複数のボタンを有しており、ユーザからボタン操作を受け付ける。ボタン部６には、電源のオンを実行する電源ボタンや数字のボタンが含まれている。また、ボタン部６には背面にライトが備えられており、制御部８からの指示によりボタン部６の背面にあるライトが点灯しまたは点滅し、ユーザへ着信を受けている旨を知らせる。
【００２５】
電源オフ判定部７は、ユーザにより行なわれたボタン部６への電源オフ用打鍵手順と、記憶部５に記録している電源オフ用打鍵手順とが一致するか否かを判定する。それらの電源オフ用打鍵手順が一致すると、電源オフ判定部７は、電源をオフする旨を制御部８に指示する。
【００２６】
制御部８は、電源を実際にオフにするための電源オフ用打鍵手順を設定する処理と電源がオンのときにオフのように振舞うための処理とを行なう。
【００２７】
まず、電源オフ用打鍵手順を設定する処理の一例について説明する。制御部８は、ユーザから設定の開始が要求されると、電源オフ用打鍵手順を設定するためのアプリケーションを記憶部５から読み出し、読み出したアプリケーションを実行する。アプリケーションを実行した制御部８は、ボタン部６のボタン操作がなされると、操作されたボタンの順番を電源オフ用打鍵手順として記憶部５に記録する。
【００２８】
次に、電源がオンのときでもオフのように振舞うための処理を制御する動作を説明する。制御部８は、ボタン部６のボタン操作がなされると、通常の動作状態か擬似オフかを判定する。通常の動作状態であると判定すれば、制御部８は通常の制御を行なう。擬似オフであると判定すれば、制御部８はオフのように振る舞う制御を行なう。
【００２９】
また、制御部８は、ボタン部６の電源ボタンが長押しされたことを検知すると、記憶部５に記録した判定フラグを更新し、通常の動作と擬似オフとを切り替える。
【００３０】
例えば、判定フラグ「１」の状態で電源ボタンが長押しされると、制御部８は判定フラグを「０」に更新し、通常の動作状態から擬似オフに切り替える。また、判定フラグ「０」の状態で電源ボタンが長押しされると、制御部８は判定フラグを「１」に更新し、擬似オフから通常の動作状態に切り替える。
【００３１】
また、制御部８は、電源オフ判定部７の判定結果に応じて電源のオンと電源のオフとを制御する。例えば、制御部８は、電源オフ判定部７から電源をオフする旨の指示を受けると、電源をオフにする。
【００３２】
制御部８は、例えば他の携帯電話機から着信を受けると、通常の動作状態か擬似オフかを確認する。制御部８は、判定フラグが「０」であれば擬似オフであると判定し、判定フラグが「１」であれば通常の動作状態であると判定する。通常の動作状態であれば、制御部８は、受信部２で受信された着信情報を表示するよう表示部４に指示すると共に、音や振動によって着信を受けている旨をユーザに知らせる。擬似オフの状態であれば、制御部８は、受信された着信情報の表示を表示部４に指示せず、また音や振動によって着信を受けている旨をユーザに知らせない。
【００３３】
また、制御部８は、通信網を介してＰＣから位置情報を要求されると、判定フラグの値に関わらず位置情報測定部９に電波を受信するよう指示し、位置情報測定部９から位置情報を受信する。そして、制御部８は、測定した位置情報を、発信部３を介して要求元のＰＣへ通知する。
【００３４】
図２は本実施例における携帯電話機１の動作を示すフローチャートである。図２Ａは本実施例における電源オフ用打鍵手順を設定するときの携帯電話機１の動作を示すフローチャートである。図２Ｂは本実施例における電源のオンと擬似オフとを切り替えるときの携帯電話機１の動作を示すフローチャートである。図２Ｃは本実施例における擬似オフのときの携帯電話機１の動作を示すフローチャートである。
【００３５】
まず、図２Ａを参照して電源オフ用打鍵手順を設定するときの携帯電話機１の動作について詳細に説明する。制御部８は、ユーザから設定の開始が要求されると、電源オフ用打鍵手順を設定するためのアプリケーションを記憶部５から読み出す（ステップ１００）。制御部８は、記憶部５からアプリケーションを読み出すと、アプリケーションを実行する（ステップ１０１）。アプリケーションを実行した制御部８は、ボタン部６のボタン操作がなされると、操作されたボタンを電源オフ用打鍵手順として記憶部５に記録する（ステップ１０２）。
【００３６】
次に、図２Ｂを参照にして電源のオンと擬似オフとを切り替えるときの携帯電話機１の動作ついて詳細に説明する。
【００３７】
制御部８は、ユーザによりボタン部６のボタン操作がなされたか否かを判定する（ステップ１５０）。ボタン操作がなされていないと判定すれば、ステップ１５０に戻る。ボタン操作がなされたと判定すれば、制御部８は記憶部５に記録している判定フラグを確認する（ステップ１５１）。判定フラグが「０」であると判定すれば、擬似オフの状態なので、制御部８は、オフのように振る舞う制御を行なう（ステップ１５２）。判定フラグが「１」であると判定すれば、オンの状態なので、制御部８は通常の制御を行なう（ステップ１５３）。
【００３８】
次に、電源オフ判定部７は、ユーザにより行なわれたボタン部６への電源オフ用打鍵手順と、記憶部５に記録している電源オフ用打鍵手順とが一致するか否かを判定する（ステップ１５４）。
【００３９】
それらの電源オフ用打鍵手順が一致すると判定すれば、電源オフ判定部７は電源をオフする旨を制御部８に指示する（ステップ１５５）。制御部８は、電源オフ判定部７から電源をオフする旨の指示を受けると、携帯電話機１の電源をオフにする（ステップ１５６）。
【００４０】
ステップ１５４の判定処理で、それらの電源オフ用打鍵手順が一致しないと判定すれば、電源オフ判定部７は電源をオフしない旨を制御部８に指示する（ステップ１５７）。制御部８は、電源オフ判定部７から電源をオフしない旨の指示を受けると、ボタン操作が電源ボタンの長押しであるか否かを判定する（ステップ１５８）。電源ボタンの長押しでないと判定すると、制御部８はユーザの所望の動作を実行する（ステップ１５９）。
【００４１】
電源ボタンの長押しであると判定すると、制御部８は記憶部５に記憶している判定フラグを確認する（ステップ１６０）。
【００４２】
確認した結果、判定フラグが「１」であれば、制御部８は記憶部５に記録している判定フラグを「０」に更新し、擬似オフに切り替える（ステップ１６１）。確認した結果、判定フラグが「０」であれば、制御部８は記憶部５に記憶している判定フラグを「１」に更新し、通常の動作の状態に切り替える（ステップ１６２）。
【００４３】
次に、図２Ｃを参照して擬似オフのときの携帯電話機１の動作について詳細に説明する。
【００４４】
制御部８は、受信部２で着信情報を受信すると（ステップ１８０）、記憶部５に記憶している判定フラグを確認する（ステップ１８１）。判定フラグが「１」であれば通常の動作状態であると判定し、制御部８は、着信情報を表示するよう表示部４に指示するとともに、音や振動によりユーザに着信を受けている旨を知らせる（ステップ１８２）。判定フラグが「０」であれば擬似オフの状態であると判定し、制御部８は、着信情報の表示を表示部４に指示せず、また音や振動によってユーザに着信を受けている旨を知らせない（ステップ１８３）。
【００４５】
次に、制御部８は、通信網を介してＰＣから位置情報を要求されると、判定フラグの値に関わらず位置情報測定部９に電波を受信するよう指示する（ステップ１８４）。位置情報測定部９は、制御部８から指示されると、電波を受信する（ステップ１８５）。位置情報測定部９は、電波を受信すると、その電波に基づいて位置情報を測定する（ステップ１８６）。位置情報測定部９は、位置情報を測定すると、測定した位置情報を制御部９に送信する（ステップ１８７）。制御部８は、位置情報測定部９からの位置情報を、通知情報として発信部３を介して要求元のＰＣに通知する（ステップ１８８）。
【００４６】
以上説明したように、本実施例によれば、携帯電話機１は電源ボタンが操作されると電源がオフになったかのように振舞うので、電源がオフになったと認識させることができる。そのため、電池を抜くような他の方法により携帯電話の電源が強制的にオフになることを防げるので、位置情報を取得する機能が悪意の取得者によって停止されるのを防止することができる。
【図面の簡単な説明】
【００４７】
【図１】本実施例における携帯電話機１の構成を示すブロック図である。
【図２Ａ】本実施例における電源オフ用打鍵手順を設定するときの携帯電話機１の動作を示すフローチャートである。
【図２Ｂ】本実施例における擬似オフに切り替えるときの携帯電話機１の動作を示すフローチャートである。
【図２Ｃ】本実施例における擬似オフのときの携帯電話機１の動作を示すフローチャートである。
【符号の説明】
【００４８】
１    携帯電話機
２    受信部
３    発信部
４    表示部
５    記憶部
６    ボタン部
７    電源オフ判定部
８    制御部
９    位置情報測定部
１００〜１０２，１５０〜１６２，１８０〜１８８  ステップ
【図１】
2008288776.tif 000003
【図２Ａ】
2008288776.tif 000004
【図２Ｂ】
2008288776.tif 000005
【図２Ｃ】
2008288776.tif 000006